(57)【要約】      （修正有）【課題】静電によるユーザーへの健康被害を防止すること。【解決手段】カバーと、コンピュータへの接続のため接続線とを有するコンピュータ・マウス用静電放電装置２０は、前記カバーに取付けられた金属導体と、保護装置４０を備え、金属導体と電気的に接続された第1端部及びアース接続のための第2端部とを有するアース線２２とを含み、カバー上の静電を前記アース線を介して放電される。【選択図】図１
0003106989.tif 000002
【実用新案登録請求の範囲】
【請求項１】
カバーと、コンピュータとの接続のための接続線とを備えるコンピュータ・マウスであって、前記カバーに取付けられた金属導体と、保護装置を有するアース線とを含み、該アース線は、前記金属導体に接続された第１端部と、前記カバー上の静電を前記アース線を介して放電させるための第２端部とを有する、コンピュータ・マウス。
【請求項２】
前記保護装置はダイオードである、請求項１に記載のコンピュータ・マウス。
【請求項３】
前記保護装置は前記ダイオードと直列の抵抗器を有し、前記アース線は前記接続線と一体化している、請求項１に記載のコンピュータ・マウス。
【考案の詳細な説明】
【技術分野】
【０００１】
本考案は、コンピュータ・マウスに関し、特に、ユーザーへの静電の蓄積が未然に防止されるように、ユーザーによる静電の吸収を回避すべく、コンピュータ・マウス内の静電を完全に除去するための、コンピュータ・マウスにおける静電放電装置に関する。
【背景技術】
【０００２】
日常生活においては、容易に人体に移る静電流を発生させる、例えば、毛皮やプラスチックなど多くの物質がある。高層建築物に住むと、絶縁物質でできた物体に囲まれるので、静電が非常に危険になる程次第に人体に蓄積される。そのため、空気の乾燥した日にしばしば人々が放電しているのを目にするが、これは人体内部の静電位が非常に高くなったことを示している。
【０００３】
健康問題の専門家は、静電位がある程度上がると、健康を損なう有害な効果が予期されるので、適切な予防策が必要であると人々に警告している。医療の専門家は、静電による皮膚への害は、人間の皮膚への正常な電位を変化させ、心血管筋肉機能に悪影響を及ぼし、正常な人間の健康に影響する可能性があると断言する。
【０００４】
ミクロ電子工学の発展により、静電が我々の生命に及ぼす有害な影響のほかに、人々は静電のない環境で暮らすことにますます関心を持つようになり、EMI（電磁気干渉）やEMC(電磁気適合性)に関心を示している。実験室、研究所等は、人体が運ぶ静電について非常に危惧を抱いている。すなわち、高度に絶縁された環境で働いていると、人体によって運ばれる静電は、操作するのに僅か数ミリボルトしか必要としないミクロ電子工学製品に重大な問題を引き起こす。静電によるこれらの諸問題を回避するため、静電のない手袋、靴、ローブ、マスク、帽子、床までが、作業環境を改善すべく市販用に開発されている。
【０００５】
さらに、２１世紀にはコンピュータは不可欠なものとなったので、コンピュータ・マウスとマウス・パッドとの摩擦によって発生する静電は、ユーザーに蓄積され、ユーザーの健康は次第に静電の影響を受けるほどになった。
【考案の開示】
【考案が解決しようとする課題】
【０００６】
これらの問題点を克服するため、本考案は上記諸問題を緩和するようなコンピュータ・マウスを提供する。
【０００７】
本考案の主な目的は、静電による健康被害のないことをユーザーに保証するため、ユーザーの運ぶ静電を放電させるための改良された静電放電装置を提供することである。
【課題を解決するための手段】
【０００８】
前記の目的を達成するために、カバーと、コンピュータへの電気的接続のための接続線とを有するコンピュータ・マウス用の静電放電装置は、前記カバーに取付けられた金属導体と、保護装置を備え、金属導体に電気的に接続された第1端部と、カバー上の静電をアース線を介して放電させる、接地のための第2端部とを有するアース線とを含む。
【考案を実施するための最良の形態】
【０００９】
この考案の他の目的、利点及び新規な特徴は、添付の図面を参照しての以下の説明から明らかになろう。
【実施例１】
【００１０】
図１を参照するに、コンピュータ・マウス１０は、カバー１１と、図示しないコンピュータ・ケースへの接続線１２とを備える。静電放電装置２０は、カバー１１の上部に取付けられた金属導体２１と、第1端部が金属導体２１に電機的に接続され、第２端部２２１が接地のために伸びているアース線２２とを含む。ダイオード４１と、ダイオード４１に直列に接続された抵抗器４２とを含む保護装置４０が、ユーザーを第2端部２２１が接続された物体から発生する電気サージから保護するためにアース線２２に備えられている。
【実施例２】
【００１１】
図２を参照するに、コンピュータ・マウスは、図1に示されたような接続線１２のない無線の静電放電装置２０である。しかし、静電放電装置２０は、無線のコンピュータ・マウスにも適用してよい。
【実施例３】
【００１２】
図３及び４を参照するに、アース線２２は、コンピュータ・マウス１０が全体に小型になるように、接続線１２と一体化されている。
【００１３】
図５及び６を参照するに、本考案のコンピュータ・マウス１０が適用されるとき、接続線１２はコンピュータ３０のケース３１に接続され、アース線２２はコンピュータ３０に外付けされたアース装置に接続してもよい。コンピュータ・マウス１０が、図２に示すような無線マウスで、かつ接続線１２がコンピュータ・ケース３１に接続されると、コンピュータ・マウスの接地が完了する。
【００１４】
コンピュータ内部に静電放電装置２０が備えられているため、人体に運ばれる静電がアース線２２を介して放電され、ユーザーの健康が静電で損なわれることはない。さらに、保護装置４０により、電気サージまたは地面（コンピュータ・ケース）からの電流が、逆流してコンピュータ・マウス１０やユーザーに害を与えることはない。
【００１５】
本考案の多くの特徴及び利点を、その構造及び機能の詳細と共に述べたが、これは説明のためにのみ開示されたものであり、特に形状、寸法、部品の配置等細部は本考案の原理内で、請求項で使用された用語の広い一般的な意味で表される最大限まで変更が可能である。
【図面の簡単な説明】
【００１６】
【図１】コンピュータ・マウスにおける静電放電装置を示す平面図。
【図２】無線コンピュータ・マウスにおける静電放電装置の第２の実施例を示す平面図。
【図３】静電放電装置の第３の実施例を示す平面図。
【図４】静電放電装置とコンピュータ・マウス接続線との一体化を示す側面図。
【図５】本考案の第1の実施例の適用を示す図。
【図６】本考案のコンピュータへの第３実施例の適用を示す図。
【符号の説明】
【００１７】
１０    コンピュータ・マウス
１１    カバー
１２    接続線
２０    静電放電装置
２１    接続線
２２    アース線
３０    コンピュータ
３１    ケース
４０    保護装置
【図１】
0003106989.tif 000003
【図２】
0003106989.tif 000004
【図３】
0003106989.tif 000005
【図４】
0003106989.tif 000006
【図５】
0003106989.tif 000007
【図６】
0003106989.tif 000008